(57)【要約】【課題】表裏面を貫通した窓が設けられた窓付シート状物の上に、シート状物をこの窓の縁に先端を引っ掛けることなく重ね合わせた状態で載置するシート状物積載装置を提供する。【解決手段】表裏面を貫通した窓が設けられた窓付シート状物を含むシート状物が載置面に沿って送り込まれ、その載置面上に、複数のシート状物を重ね合わせた状態で載置する用紙中間積載装置１１に、上記載置面を有する２枚のパネルを有するシェルフ１１３と、シェルフ１１３のパネルから突出したものであって、送り込まれてくる用紙の先端が突き当たるとその先端を用紙の移動方向下流側に案内する斜面１１３ｃ＿１を有し、シェルフ１１３のパネルに載置された窓付用紙の窓内に入り込む突起部１１３ｃとを備えた。【選択図】        図２
2006082901.tif 000002
【特許請求の範囲】
【請求項１】
表裏面を貫通した窓が設けられた窓付シート状物を含む複数のシート状物が載置面に沿って１つ１つ送り込まれ、該載置面上に、複数のシート状物を重ね合わせた状態で載置するシート状物積載装置において、
前記載置面を有する載置トレイと、
前記載置面から突出したものであって、送り込まれてくるシート状物先端が突き当たると該先端をシート状物の移動方向下流側に案内するガイド面を有し、該載置面に載置された前記窓付シート状物の窓内に入り込む案内部とを備えたことを特徴とするシート状物積載装置。
【請求項２】
前記載置面が、前記移動方向に進退自在なものであり、
シート状物の、前記移動方向に交わる幅方向に移動自在なものであって、シート状物の、該移動方向に延びる縁に当接し該シート状物の、前記載置面上での位置を変えるタンパと、
前記載置面に載置された窓付シート状物の窓内に前記案内部が入り込むように、前記載置面を進退させるとともに前記タンパを移動させる移動制御部とを備えたことを特徴とする請求項１記載のシート状物積載装置。
【請求項３】
前記案内部を複数備え、
前記移動制御部が、前記載置面に載置された窓付シート状物の窓内に、複数の案内部のうちの少なくとも１つが入り込むように、前記載置面を進退させるとともに前記タンパを移動させるものであることを特徴とする請求項１記載のシート状物積載装置。
【請求項４】
前記窓付シート状物の、窓の位置と窓の大きさを示す窓情報が入力される入力部を備え、
前記移動制御部が、前記入力部に入力された窓情報に基づいて、前記載置面を進退させるとともに前記タンパを移動させるものであることを特徴とする請求項１記載のシート状物積載装置。
【発明の詳細な説明】
【技術分野】
【０００１】
本発明は、コピー機やプリンタ等といった画像形成装置に取り付けられる、複数のシート状物を重ね合わせた状態で載置するシート状物積載装置に関する。
【背景技術】
【０００２】
コピー機やプリンタ等といった画像形成装置の多くには、その画像形成装置が排出する用紙をストックする用紙積載装置が取り付けられている。このような用紙積載装置には、用紙のサイズ等といった排出条件に対応できるように、例えば、このような排出条件に応じて進退する補助トレイを設ける（例えば、特許文献１参照。）等といった、適宜な工夫が凝らされていることが多い。
【特許文献１】特開平８−１４３２１１号公報（第３−６頁、図２）
【発明の開示】
【発明が解決しようとする課題】
【０００３】
ところで、近年では、画像形成装置における用紙の供給や、装置内での用紙の搬送に関する技術が向上し、画像形成装置において、表裏面を貫通した窓が設けられた窓付用紙が扱われるようになってきている。この窓付用紙は、主に、複数枚の用紙からなる用紙束の表紙等として利用されることが多い。このように窓付用紙が表紙として利用される場合には、窓付用紙が最初に用紙積載装置上に排出され、続いて、その窓付き用紙の上にその他の用紙が排出されることとなる。このとき、用紙積載装置上に排出される、窓付用紙を含む複数枚の用紙は縁が揃った状態で用紙積載装置上に積み重ねられることが好ましいことは言うまでもない。ここで、窓付用紙が表紙として利用される場合に、用紙積載装置上に載置された窓付用紙の窓の縁に、その窓付用紙の次に排出されてきた用紙の先端が引っ掛かってしまうという問題が度々発生することが知られている。この問題は、後から排出されてきた用紙に押されて窓付用紙の位置が動いてしまったり、あるいは窓付用紙の次に排出されてきた用紙が用紙積載装置上の適切な位置に載置されなかったり等といった様々な積載不良を招くおそれがある。しかしながら、この問題の発生を適切に回避できる、実現性のある用紙積載装置は今のところ提案されていないのが現状である。
【０００４】
本発明は、上記事情に鑑み、表裏面を貫通した窓が設けられた窓付シート状物（窓付用紙）の上に、シート状物（用紙）をこの窓の縁に先端を引っ掛けることなく重ね合わせた状態で載置するシート状物積載装置を提供することを目的とする。
【課題を解決するための手段】
【０００５】
上記目的を達成する本発明のシート状物積載装置は、表裏面を貫通した窓が設けられた窓付シート状物を含む複数のシート状物が載置面に沿って１つ１つ送り込まれ、その載置面上に、複数のシート状物を重ね合わせた状態で載置するシート状物積載装置において、
上記載置面を有する載置トレイと、
上記載置面から突出したものであって、送り込まれてくるシート状物先端が突き当たるとその先端をシート状物の移動方向下流側に案内するガイド面を有し、その載置面に載置された上記窓付シート状物の窓内に入り込む案内部とを備えたことを特徴とする。
【０００６】
本発明のシート状物積載装置によれば、前記案内部のガイド面によって上記窓付シート状物の次に送り込まれてくるシート状物の先端を、上記窓付シート状物の窓の縁との衝突を回避して、シート状物の移動方向下流側に案内することができる。つまり、表裏面を貫通した窓が設けられた窓付シート状物（窓付用紙）の上に、シート状物（用紙）を、先端を上記窓の縁に引っ掛けることなく重ね合わせた状態で載置することができる。
【０００７】
ここで、本発明のシート状物積載装置において、「上記載置面が、上記移動方向に進退自在なものであり、
シート状物の、上記移動方向に交わる幅方向に移動自在なものであって、シート状物の、その移動方向に延びる縁に当接しそのシート状物の、上記載置面上での位置を変えるタンパと、
上記載置面に載置された窓付シート状物の窓内に上記案内部が入り込むように、上記載置面を進退させるとともに上記タンパを移動させる移動制御部とを備えた」という形態は好ましい形態である。
【０００８】
この好ましい形態のシート状物積載装置によれば、上記移動制御部によって上記載置面と上記タンパとを移動させることにより、上記窓付シート状物の窓内に容易に上記案内部を入り込ませることができる。
【０００９】
また、上記の好ましい形態の本発明のシート状物積載装置において、「上記案内部を複数備え、
上記移動制御部が、上記載置面に載置された窓付シート状物の窓内に、複数の案内部のうちの少なくとも１つが入り込むように、上記載置面を進退させるとともに上記タンパを移動させるものである」という形態はさらに好ましい形態である。
【００１０】
このさらに好ましい形態のシート状物積載装置によれば、上記案内部を複数備えることにより、上記窓付シート状物の窓内に一層容易に案内部を入り込ませることができる。
【００１１】
また、本発明のシート状物積載装置において、「上記窓付シート状物の、窓の位置と窓の大きさを示す窓情報が入力される入力部を備え、
上記移動制御部が、上記入力部に入力された窓情報に基づいて、上記載置面を進退させるとともに上記タンパを移動させるものである」という形態も好ましい形態である。
【００１２】
この好ましい形態のシート状物積載装置によれば、所望の窓付シート状物に対応する窓情報を入力することができ、その所望の窓付シート状物上に、シート状物を、窓の縁に先端を引っ掛けることなく重ね合わせた状態で載置することができる。
【発明の効果】
【００１３】
以上、説明したように、本発明によれば、表裏面を貫通した窓が設けられた窓付シート状物（窓付用紙）の上に、シート状物（用紙）をこの窓の縁に先端を引っ掛けることなく重ね合わせた状態で載置するシート状物積載装置を提供することができる。
【発明を実施するための最良の形態】
【００１４】
以下図面を参照して本発明の実施の形態を説明する。
【００１５】
図１は、本発明のシート状物積載装置の一実施形態を備えた後処理装置の一例を示す図である。
【００１６】
図１に示す後処理装置１は、図示しない画像形成装置から、画像が形成された用紙を受取り、その用紙に、折畳処理、あるいは複数の用紙をステープルで綴り合わせるステープル処理を施す装置であり、最終処理装置１０と、折畳装置２０と、インタポーザ３０と、インタフェースモジュール４０と、操作パネル５０とを備えている。
【００１７】
また、最終処理装置１０は、用紙中間積載装置１１と、パンチ装置１２と、トップトレイ１３と、ブックレット１４と、用紙最終積載装置１５を備えており、この最終処理装置１０が備えている用紙中間積載装置１１が、本発明のシート状物積載装置の一実施形態に相当する。
【００１８】
この図１の例では、図示しない画像形成装置から、画像が形成された用紙Ｐと、ユーザの操作によって操作パネル５０から入力された後述のシート情報Ｊとがインタフェースモジュール４０に渡される。このシート情報Ｊは、後述のインタポーザ３０にセットされる窓付用紙ＰＳの、窓の位置と窓の大きさを示す情報であり、本発明にいう窓情報の一例に相当する。そして、このシート情報Ｊは、インタフェースモジュール４０を介して、用紙中間積載装置１１の情報取得部１１７に渡され、さらに制御部１１８に渡される。
【００１９】
インタポーザ３０には、ユーザが用紙をセットするための用紙トレイ３１が設けられている。本実施形態では、表紙として用いられる窓付用紙ＰＳ等といった、画像形成装置から渡される用紙Ｐ以外の用紙が、このインタポーザ３０の用紙トレイ３１にセットされる。ここで、以降、このインタポーザ３０の用紙トレイ３１に窓付用紙ＰＳがセットされたものとして説明を続ける。この窓付用紙ＰＳは、ピックアップロール３２によって内部に取り込まれ、画像形成装置から渡される用紙Ｐに先行して、搬送ロール３３によってインタフェースモジュール４０まで運ばれる。また、このインタポーザ３０内部の窓付用紙ＰＳの移動は、インタポーザ３０内部に配置された用紙センサ３４によって監視される。
【００２０】
インタフェースモジュール４０の内部には、複数の搬送ロール４１によって用紙搬送経路４２が形成されており、画像形成装置やインタポーザ３０から渡された用紙Ｐはこの用紙搬送経路４２を、インタフェースモジュール４０の後段に配置された折畳装置２０まで運ばれる。また、用紙搬送経路４２における窓付用紙ＰＳや用紙Ｐの通過は、用紙搬送経路４２に配置された複数の用紙センサ４３で監視される。
【００２１】
折畳装置２０の内部には、例えばＺ折り等といった折畳処理を施すようにユーザから指定された場合に用紙Ｐが通過する折畳用紙搬送経路２１と、折畳装置２０の後段に配置された最終処理装置１０までそのまま運ばれる用紙Ｐや上記の窓付用紙ＰＳのための通常搬送経路２２との２種類の搬送経路が複数の搬送ロール２３によって形成されており、また各搬送経路２１，２２に配置された複数の用紙センサ２４によって窓付用紙ＰＳや用紙Ｐの通過が監視されている。さらに、折畳用紙搬送経路２１の途中には、折畳ロール２５が配置されており、折畳処理を受ける用紙Ｐは、この折畳用紙搬送経路２１を搬送されながら、この折畳ロール２５でニップされることにより折畳まれる。また、折畳装置２０には、折畳まれた用紙Ｐが収納される収納部２６も備えられている。
【００２２】
最終処理装置１０は、上述したように、用紙中間積載装置１１と、パンチ装置１２と、トップトレイ１３と、ブックレット１４と、用紙最終積載装置１５とを備えており、これら各要素間を結ぶ用紙搬送経路１６が複数の搬送ロール１７によって形成されている。また、この用紙搬送経路１６には複数の用紙センサ１８が配置され、用紙の通過を監視している。
【００２３】
最終処理装置１０に渡された窓付用紙ＰＳや用紙Ｐは、まずパンチ装置１２を通過し、ユーザに指定された場合に穴あけ処理が施される。パンチ装置１２を通過した窓付用紙ＰＳや用紙Ｐは、ユーザからステープル処理を施すように指示があった場合には用紙中間積載装置１１まで搬送される。また、複数の用紙の中央にステープル処理を施して用紙束を形成し、さらにこの用紙束を中央で折り曲げるというブックレット処理を施すようにユーザから指示された窓付用紙ＰＳや用紙Ｐは、ブックレット１４まで搬送される。さらに、特に処理の指示が無い、窓付用紙ＰＳを除く用紙Ｐはトップトレイ排出口１９まで搬送されて、このトップトレイ排出口１９からトップトレイ１３に排出される。
【００２４】
この用紙中間積載装置１１は、２つのパドル１１１ａ，１１１ｂと、トレイ１１２と、シェルフ１１３と、タンパ１１４と、ステープラ１１５と、排出ロール１１６と、情報取得部１１７と、制御部１１８とを備えている。ここで、トレイ１１２とシェルフ１１３とを合せたものが本発明にいう載置トレイの一例に相当し、シェルフ１１３が本発明にいう載置面の一例に相当する。また、タンパ１１４、情報取得部１１７、および制御部１１８が、それぞれ本発明にいうタンパ、入力部、および移動制御部の各一例に相当する。
【００２５】
窓付用紙ＰＳや用紙Ｐは、この用紙中間積載装置１１に搬送されて来くると、２つのパドル１１１ａ，１１１ｂの回転によって、トレイ１１２とシェルフ１１３の上を、先端がステープラ１１５に突き当たるまで運ばれる。そして、トレイ１１２とシェルフ１１３の上に、１つの用紙束を形成する窓付用紙ＰＳや用紙Ｐが全て載置されると、これらの窓付用紙ＰＳや用紙Ｐをステープラ１１５が綴り合わせて用紙束を生成する。生成された用紙束は、排出ロール１１６によって用紙最終積載装置１５の上に排出され、この用紙最終積載装置１５の上に載置される。
【００２６】
以上に概要を説明した、この図１に示す用紙中間積載装置１１における本発明としての特徴は、トレイ１１２、シェルフ１１３、およびタンパ１１４の、情報取得部１１７と制御部１１８とによって制御される動作にあり、以下では、この用紙中間積載装置１１の特徴に注目して説明を続ける。
【００２７】
図２は、図１に示す用紙中間積載装置のうち、トレイ、シェルフ、およびタンパからなる機構部分を示す斜視図である。
【００２８】
図２に示すトレイ１１２は、シェルフ１１３およびタンパ１１４を動かすための機構を格納する筐体の一部であり、図１に示す用紙中間積載装置１１まで搬送されて来た用紙は、このトレイ１１２に沿って送り込まれる。図２には、窓付用紙ＰＳが、このトレイ１１２に沿った矢印Ａ方向に送り込まれる様子が示されている。
【００２９】
シェルフ１１３は、図１に示す制御部１１８によって制御される、後述の移動機構によって、用紙の移動方向に沿う矢印Ｂ方向に、同時に移動される２枚のパネル１１３ａ，１１３ｂを備えている。また、本実施形態では、２枚のパネル１１３ａ，１１３ｂのうち、タンパ１１４側のパネル１１３ａには１つの突起部１１３ｃが設けられ、もう一方のパネル１１３ｂには２つの突起部１１３ｃが設けられている。これらの突起部１１３ｃは、タンパ１１４側のパネル１１３ａについては、図中における、パネル１１３ａの左角に設けられ、もう一方のパネル１１３ｂについては、図中における、パネル１１３ｂの左右両角に設けられている。これらの突起部１１３ｃが、本発明にいう案内部の一例に相当する。
【００３０】
タンパ１１４は、後述の移動機構によって、用紙の移動方向に直交する矢印Ｃ方向に移動される。タンパ１１４は、送り込まれてくる用紙の、移動方向に延びる縁に当接し、その用紙のトレイ１１２上での位置を変える働きをする。
【００３１】
まず、シェルフ１１３の移動について説明する。尚、以下では、シェルフ１１３の移動と、シェルフを構成する２枚のパネル１１３ａ，１１３ｂの移動とを特に区別せずに使って説明する。
【００３２】
図３は、図２に示すシェルフを構成する２枚のパネルを移動させるシェルフ移動機構を示す図であり、図４は、移動するパネルと窓付用紙との関係を示す模式図である。
【００３３】
図３に示すシェルフ移動機構１１９は、シェルフモータ１１９ａと、ギア機構１１９ｂと、２本の回転軸１１９ｃ＿１，１１９ｃ＿２と、２本のベルト１１９ｄ＿１，１１９ｄ＿２と、２つのピニオン１１９ｅ＿１，１１９ｅ＿２とで構成されている。そして、シェルフ１１３を構成する２枚のパネル１１３ａ，１１３ｂそれぞれの裏面に図示しないラックが設けられており、各パネル１１３ａ，１１３ｂのラックに、上記の２つのピニオン１１９ｅ＿１，１１９ｅ＿２それぞれが噛み合っている。まず、シェルフモータ１１９ａの回転力が、ギア機構１１９ｂによって２本の回転軸１１９ｃ＿１，１１９ｃ＿２それぞれに伝達される。各回転軸１１９ｃ＿１，１１９ｃ＿２は、２本のベルト１１９ｄ＿１，１１９ｄ＿２それぞれによって、対応するパネル１１３ａ，１１３ｂのラックと噛み合っているピニオン１１９ｅ＿１，１１９ｅ＿２に結合されており、各回転軸１１９ｃ＿１，１１９ｃ＿２の回転力が各ピニオン１１９ｅ＿１，１１９ｅ＿２に伝達される。以上に説明したシェルフ移動機構１１９により、シェルフを構成する２枚のパネル１１３ａ，１１３ｂは、２枚同時に矢印Ｂ方向に移動される。
【００３４】
本実施形態では、図１に示す操作パネル５０から入力され、情報取得部１１７で取得され、さらに制御部１１８渡されるシート情報Ｊに基づいて、２枚のパネル１１３ａ，１１３ｂの移動量および移動方向がその制御部１１８で求められる。そして、制御部１１８は、制御部１１８が求めた移動量だけ、制御部１１８が求めた移動方向に２枚のパネル１１３ａ，１１３ｂが動くようにシェルフモータ１１９ａを制御する。そして、図３に示すシェルフ移動機構１１９によって２枚のパネル１１３ａ，１１３ｂが移動されると、図４に示す矢印Ｄように、これらのパネルに設けられた３つの突起部１１３ｃのうちのいずれかの突起部１１３ｃが、窓付用紙ＰＳにおける窓Ｗの、用紙の移動方向の幅の中に入り込む。ここで、各突起部１１３ｃの、図２に矢印Ａで示す用紙の移動方向の上流側には斜面１１３ｃ＿１が設けられており、この斜面１１３ｃ＿１が窓付用紙ＰＳの先端を押し上げ、上記の移動方向の下流側に案内することにより、突起部１１３ｃは、この窓付用紙ＰＳを引っ掛けることなく窓Ｗの用紙の移動方向の幅の中に入り込むことができる。この突起部１１３ｃの、用紙の移動方向の上流側に設けられた斜面１１３ｃ＿１が、本発明にいうガイド面の一例に相当する。
【００３５】
次に、タンパ１１４の移動について説明する。
【００３６】
図５は、図２に示すタンパを移動させるタンパ移動機構を示す図であり、図６は、移動するタンパと窓付用紙との関係を示す模式図である。
【００３７】
図５に示すタンパ移動機構１２０は、タンパモータ１２０ａと、ベルト１２０ｂとを備えており、タンパモータ１２０ａの回転力はベルト１２０ｂに伝達される。タンパ１１４は、このベルト１２０ｂに固定されており、ベルト１２０ｂの移動に伴って移動される。
【００３８】
本実施形態では、タンパ１１４は、窓付用紙が搬送されてくると、所定のホームポジションから矢印Ｃ方向へ移動される。このときの移動量は、情報取得部１１７で取得される上記のシート情報Ｊに基づいて制御部１１８で求められる。そして、制御部１１８は、制御部１１８が求めた移動量だけタンパ１１４が矢印Ｃ方向に動くようにタンパモータ１２０ａを制御する。そして、タンパ１１４が移動されると、図６に示すように窓付用紙ＰＳがタンパ１１４に押され、上記の３つの突起部１１３ｃのうちのいずれかの突起部１１３ｃ（図６の例では最も左側の突起部１１３ｃ）が、窓付用紙ＰＳにおける窓Ｗの矢印Ｃ方向の幅の中に入り込むように、窓付用紙ＰＳが移動される。ここで、各突起部１１３ｃの、矢印Ｃ方向の上流側にも斜面１１３ｃ＿２が設けられており、この斜面１１３ｃ＿２が窓付用紙ＰＳを押し上げることにより、突起部１１３ｃは、この窓付用紙ＰＳを引っ掛けることなく窓Ｗの矢印Ｃ方向のの幅の中に入り込むことができる。
【００３９】
以上に説明したシェルフ１１３およびタンパ１１４の動きにより、シェルフ１１３の２枚のパネル１１３ａ，１１３ｂに設けられた３つの突起部１１３ｃのうち、窓付用紙ＰＳの窓Ｗに最も近い突起部１１３ｃが、その窓Ｗの内側に入り込むような位置に配置される。
【００４０】
図７は、窓付用紙の窓の内側に突起部が入り込んでいる様子を示す図である。
【００４１】
図７の例では、窓付用紙ＰＳの、図中における右よりに設けられた窓Ｗの内側に、タンパ１１４から最も遠い位置の突起部１１３ｃが入り込んでいる。
【００４２】
本実施形態では、窓付用紙ＰＳの窓の位置によって、その窓の内側に入り込む突起部１１３ｃが使い分けられる。例えば、窓が、窓付用紙ＰＳの中央の位置Ｗ２に設けられている場合には、その窓の内側に、３つの突起部１１３ｃのうちの中央の突起部１１３ｃが入り込み、窓付用紙ＰＳの図中における左よりの位置Ｗ３に窓が設けられている場合には、その窓の内側に、３つの突起部１１３ｃのうちの最もタンパ１１４に近い突起部１１３ｃが入り込む。これら３つの突起部１１３ｃの使い分けと、選ばれた突起部１１３ｃを窓の内側に入り込ませるために必要な、シェルフ１１３（図２参照）とタンパ１１４との移動量は、上述したように、図１に示す操作パネル５０から入力されるシート情報Ｊに基づいて制御部１１８で求められる。
【００４３】
以上説明したように、窓付用紙ＰＳの窓Ｗの内側に入り込んだ突起部１１３ｃは、この窓付用紙ＰＳに続いて送り込まれてくる用紙に対して次のような働きをする。
【００４４】
図８は、窓付用紙の窓の内側に入り込んだ突起部の、次に送り込まれてくる用紙に対する働きを示す模式図である。
【００４５】
図８には、窓付用紙ＰＳの窓Ｗの内側に入り込んだ突起部１１３ｃが示されている。このときに用紙Ｐが矢印Ａ方向に送り込まれてくると、この用紙Ｐの先端Ｐ１は、突起部１１３ｃの斜面１１３ｃ＿１によって、矢印Ａ方向の下流側に案内される。本実施形態では、突起部１１３ｃのこの働きにより、この用紙Ｐを、先端Ｐ１を窓Ｗの内側の縁Ｗ１に引っ掛けることなく窓付用紙ＰＳの上に重ね合わせた状態で載置することができる。
【００４６】
次に、図１に示す操作パネル５０に対する、上記のシート情報Ｊの入力操作と、そのシート情報Ｊに基づいて制御部１１８で実行される制御の詳細について説明する。尚、以下の説明では、図１〜図８に示す構成要素を特に図番を断らずに参照する。
【００４７】
まず、シート情報の入力操作について説明する。
【００４８】
図９は、シート情報の入力操作を示す図である。
【００４９】
図９には、このシート情報の入力操作において、ユーザに対して表示される表示画面が示されている。まず、電源が投入されると操作パネル５０に初期画面が表示される（ステップＳ１１）。この初期画面において、用紙の出力方法の指定スイッチ５０１が選択されると、９種類の出力方法のリストが表示される（ステップＳ１２）。このリストにおいて、表紙付きの用紙束を出力するという出力方法を選択する表紙付け選択スイッチ５０２が選択されると、おもて表紙とうら表紙それぞれの有無と各表紙に対するコピー指示を設定する設定画面が表示される（ステップＳ１３）。この設定画面において、所望のスイッチが選択（図９の例では、おもて表紙の存在と非コピーを指示するスイッチ５０３と、うら表紙の存在と非コピーを指示するスイッチ５０４とが選択）されると、次に、各表紙のセット方法を設定する設定画面が表示される（ステップＳ１４）。この設定画面において、所望のスイッチが選択（図９の例では、おもて表紙のインタポーザ３０へのセットを指示するスイッチ５０５と、うら表紙の図示しない手差しトレイへのセットを指示するスイッチ５０６とが選択）されると、次に、インタポーザ３０へセットされる表紙（図９の例ではおもて表紙）の窓の有無を指定する画面が表示される（ステップＳ１５）。尚、本実施形態では、ステップＳ１４の設定画面において、表紙以外の用紙のセット方法も選択（図９の例では、用紙のサイズに応じた用紙トレイの自動選択を指示するスイッチ５０７が選択）される。そして、ステップＳ１５の設定画面において、窓の存在を指定するスイッチ５０８が選択されると、この設定画面に、さらに、窓の大まかな位置を指定する３つのスイッチが表示される（ステップＳ１６）。本実施形態では、用紙の長手方向両端それぞれ側の２箇所と中央との合計３箇所のうちから１つを選択できるようになっている。この設定画面において、所望のスイッチが選択（図９の例では、用紙を長手方向を縦にして置いたときに下側に相当する一端側に窓が設けられていることを示すスイッチ５０９が選択）されると、その窓の大きさを指示する４つの寸法を入力する入力画面が表示される（ステップＳ１７）。以上に説明した、ステップＳ１７までの各設定画面における設定操作によって、表紙の有無と、窓の有無と、窓の大まかな位置と、および窓の位置や大きさを詳細に表わす４つの寸法とを示すシート情報Ｊが入力され、制御部１１８では、このシート情報Ｊに基づいて、上記のシェルフ１１３とタンパ１１４の動きが制御される。
【００５０】
次に、制御部１１８で実行されるシート情報Ｊに基づく制御について説明する。
【００５１】
図１０は、シート情報に基づく制御を示すフローチャートである。
【００５２】
このフローチャートが示す処理は、上記の操作パネル５０を用いたシート情報Ｊの入力が終了し、そのシート情報Ｊが制御部１１８に渡されるとスタートする。この処理がスタートすると、まず、今回、出力される用紙束を構成する用紙の枚数Ｍを示す枚数情報が制御部１１８に渡され、（ステップＳ２０１）、さらに用紙束の部数Ｎを示す部数情報が制御部１１８に渡される（ステップＳ２０２）。続いて、上記のシート情報Ｊから表紙の有無が判定され（ステップＳ２０３）、さらに、表紙が有ると判定された場合（ステップＳ２０３の処理におけるＹｅｓ判定）には、その表紙における窓の有無が判定される（ステップＳ２０４）。ここで、上記のステップＳ２０３の処理において表紙が無いと判定された場合（ステップＳ２０３の処理におけるＮｏ判定）、あるいは、ステップＳ２０４の処理において窓が無いと判定された場合（ステップＳ２０４の処理におけるＮｏ判定）には、共に後述のステップＳ２１４の処理が実行される。以下では、まず、表紙が有ると判定された場合（ステップＳ２０３の処理におけるＹｅｓ判定）であって、かつ窓が有ると判定された場合（ステップＳ２０４の処理におけるＹｅｓ判定）の処理（ステップＳ２０５）について先に説明する。
【００５３】
ステップＳ２０５では、窓付用紙における窓の大まかな位置がシート情報Ｊから求められる。次に、その窓の内側に突起部１１３ｃを入り込ませるためのシェルフ１１３の移動量の算出に必要な、窓に関する寸法がシート情報Ｊから求められる（ステップＳ２０６）。ここで、このステップＳ２０６で求められる寸法は、図９のステップＳ１７の表示画面に模式的に示されている、シェルフ１１３の移動方向に沿う２つの寸法Ｌ１，Ｌ３である。そして、この２つの寸法Ｌ１，Ｌ３からシェルフ１１３の移動量が算出され、さらに、シェルフ１１３をその移動量だけ移動させるためにシェルフモータ１１９ａに供給する駆動パルスのパルス数が算出される（ステップＳ２０７）。次に、タンパ１１４の移動量の算出に必要な、窓に関する寸法ががシート情報Ｊから求められる（ステップＳ２０８）。このステップＳ２０８で求められる寸法は、図９のステップＳ１７の表示画面に模式的に示されている、タンパ１１４の移動方向に沿う２つの寸法Ｌ２，Ｌ４である。そして、この２つの寸法Ｌ２，Ｌ４からタンパ１１４の移動量が算出され、タンパ１１４をその移動量だけ移動させるためにタンパモータ１２０ａに供給する駆動パルスのパルス数が算出される（ステップＳ２０９）。
【００５４】
ステップＳ２０９までの処理によって、シェルフモータ１１９ａとタンパモータ１２０ａとのそれぞれに供給する駆動パルスのパルス数が算出されると、インタポーザ３０にセットされた窓付用紙を装置内に送出すようにインタポーザ３０に指示される（ステップＳ２１０）。そして、まずシェルフモータ１１９ａが駆動され（ステップＳ２１１）、移動の完了したシェルフ１１３の上に窓付用紙が排出される（ステップＳ２１２）。続いて、タンパモータ１２０ａが駆動され、これにより突起部１１３ｃが窓付用紙の窓の内側に配置される位置まで、タンパ１１４によって窓付用紙が動かされる（ステップＳ２１３）。
【００５５】
次に、上記のステップＳ２０３の処理において表紙が無いと判定された場合（ステップＳ２０３の処理におけるＮｏ判定）、あるいは、ステップＳ２０４の処理において窓が無いと判定された場合（ステップＳ２０４の処理におけるＮｏ判定）に実行されるステップＳ２１４以降の処理について説明する。
【００５６】
この場合には、まず、シェルフ１１３を予め定められた所定の移動量だけ移動させるためにシェルフモータ１１９ａに供給する駆動パルスのパルス数が、図示しない記憶部から読み出され（ステップＳ２１４）、次に、タンパ１１４を予め定められた所定の移動量だけ移動させるためにタンパモータ１２０ａに供給する駆動パルスのパルス数が、図示しない記憶部から読み出される（ステップＳ２１５）。そして、まず、シェルフモータ１１９ａが駆動され（ステップＳ２１６）、移動の完了したシェルフ１１３の上に１枚目の用紙が排出される（ステップＳ２１７）。そして、タンパモータ１２０ａが駆動されることにより、１枚目の用紙が所定の位置まで動かされる（ステップＳ２１８）。
【００５７】
以上に説明したステップＳ２０６〜ステップＳ２１３の処理、あるいはステップＳ２１４〜ステップＳ２１８の処理によって、表紙としての窓付用紙あるいは１枚目の用紙が排出されると、続いて、２枚目の用紙の排出が指示され（ステップＳ２１９）、この用紙の排出に伴う諸動作が指示される（ステップＳ２２０）。
【００５８】
ここで、ステップＳ２１９の指示によって、窓付用紙の上に用紙が排出される場合であっても、上述したように、窓の内側に入り込んだ突起部１１３ｃがこの用紙の先端を排出方向下流側に案内するので、この用紙が、窓の縁に先端を引っ掛けることなく窓付用紙の上に重ね合わされる。
【００５９】
そして、排出された用紙の枚数が、ステップＳ２０１の処理で制御部１１８に取得された、用紙束１部分の用紙枚数Ｍに達しか否かが判定される（ステップＳ２２１）。そして、このステップＳ２２１の処理において、排出された用紙の枚数が用紙束１部分の用紙枚数Ｍに達したと判定される（ステップＳ２２１の処理におけるＹｅｓ判定）まで、ステップＳ２１９とステップＳ２２０の処理が繰り返される。用紙の枚数が用紙束１部分の用紙枚数Ｍに達したと判定される（ステップＳ２２１の処理におけるＹｅｓ判定）と、図１に示す用紙中間積載装置１１から用紙最終積載装置１５に用紙束が排出され、さらに、シェルフモータ１１９ａとタンパモータ１２０ａとが、それぞれシェルフ１１３とタンパ１１４とを所定の初期位置に移動させるべく駆動される（ステップＳ２２２）。そして、この段階において、排出された用紙束の部数が、ステップＳ２０２の処理で制御部１１８に取得された、用紙束の予定の出力部数Ｎに達しか否かが判定される（ステップＳ２２３）。このステップＳ２２３の処理において、排出された用紙束の部数が予定の出力部数Ｎに達したと判定される（ステップＳ２２３の処理におけるＹｅｓ判定）まで、ステップＳ２０３〜ステップＳ２２２の処理が繰り返される。そして、このステップＳ２２３の処理において、排出された用紙束の部数が予定の出力部数Ｎに達したと判定される（ステップＳ２２３の処理におけるＹｅｓ判定）と、この図１０のフローチャートが示す処理を終了する。
【００６０】
以上、図１〜図１０を参照して説明した本実施形態の用紙中間積載装置１１によれば、窓付用紙の窓の内側に入り込んだ突起部１１３ｃが、その窓付用に続いて送り込まれる用紙の先端を排出方向下流側に案内するので、窓付用紙の上に用紙を窓の縁に先端を引っ掛けることなく重ね合わせた状態で載置することができる。
【００６１】
尚、上記では、本発明にいう案内部の一例として、窓付用紙の窓の内側に１つ配置される突起部を挙げて説明したが、本発明はこれに限るものではなく、本発明の案内部は、例えば窓付用紙の窓の内側に複数配置されるものであっても良い。
【００６２】
また、上記では、本発明にいう移動制御部の一例として、まず、シェルフを移動させ、移動の完了したシェルフの上に窓付用紙が排出された後に、タンパを移動させる制御部を挙げて説明したが、本発明はこれに限るものではい。本発明の移動制御部は、例えば、シェルフとタンパとを、窓付用紙が排出される前に、共に必要量だけ移動させるものであっても良い。この場合、窓付用紙は、排出方向に延びる縁がタンパに当接され、このタンパに沿って排出されることとなる。
【図面の簡単な説明】
【００６３】
【図１】本発明のシート状物積載装置の一実施形態を備えた後処理装置の一例を示す図である。
【図２】図１に示す用紙中間積載装置のうち、トレイ、シェルフ、およびタンパからなる機構部分を示す斜視図である。
【図３】図２に示すシェルフを構成する２枚のパネルを移動させるシェルフ移動機構を示す図である。
【図４】移動するパネルと窓付用紙との関係を示す模式図である。
【図５】図２に示すタンパを移動させるタンパ移動機構を示す図である。
【図６】移動するタンパと窓付用紙との関係を示す模式図である。
【図７】窓付用紙の窓の内側に突起部が入り込んでいる様子を示す図である。
【図８】窓付用紙の窓の内側に入り込んだ突起部の、次に送り込まれてくる用紙に対する働きを示す模式図である。
【図９】シート情報の入力操作を示す図である。
【図１０】シート情報に基づく制御を示すフローチャートである。
【符号の説明】
【００６４】
１    後処理装置
１０    最終処理装置
１１    用紙中間積載装置
１１１ａ，１１１ｂ    パドル
１１２    トレイ
１１３    シェルフ
１１３ａ，１１３ｂ    パネル
１１３ｃ    突起部
１１３ｃ＿１，１１３ｃ＿２    斜面
１１４    タンパ
１１５    ステープラ
１１６    排出ロール
１１７    情報取得部
１１８    制御部
１１９    シェルフ移動機構
１１９ａ    シェルフモータ
１１９ｂ    ギア機構
１１９ｃ＿１，１１９ｃ＿２    回転軸
１１９ｅ＿１，１１９ｅ＿２    ピニオン
１２０    タンパ移動機構
１２０ａ    タンパモータ
１２０ｂ    ベルト
１２    パンチ装置
１３    トップトレイ
１４    ブックレット
１５    用紙最終積載装置
１６    用紙搬送経路
１７    搬送ロール
１８    用紙センサ
１９    トップトレイ排出口
２０    折畳装置
３０    インタポーザ
４０    インタフェースモジュール
５０    操作パネル
５０１〜５０９    スイッチ
【図１】
2006082901.tif 000003
【図２】
2006082901.tif 000004
【図３】
2006082901.tif 000005
【図４】
2006082901.tif 000006
【図５】
2006082901.tif 000007
【図６】
2006082901.tif 000008
【図７】
2006082901.tif 000009
【図８】
2006082901.tif 000010
【図９】
2006082901.tif 000011
【図１０】
2006082901.tif 000012